【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
通信相手に近付くことで無線によるデータ通信を行うための第１の無線通信手段を備えた通信端末と、該通信端末が通信可能範囲内に近接することに応じて前記通信端末とデータ通信を行う第２の無線通信手段を備えた通信ベースとから構成されるデータ通信システムにおいて、
前記通信端末と前記通信ベースとのいずれか一方に設けられ、前記通信端末の姿勢に基づく挙動を検出する挙動検出手段と、
前記通信端末が前記通信ベースと近接し通信が確立している状態で前記挙動検出手段により検出された挙動が予め定められた複数のパターンのいずれに該当するかを判別し、判別されたパターンに対応して予め設定された方法でデータ通信を行うよう前記第１の無線通信手段を制御する制御手段とを備えることを特徴とするデータ通信システム。
【請求項２】
前記挙動検出手段及び前記制御手段は、前記通信端末に備えられ、前記挙動検出手段は、当該通信端末の加速度を検出する加速度検出手段であることを特徴とする請求項１記載のデータ通信システム。
【請求項３】
前記制御手段は、前記加速度検出手段が閾値以上の振幅をもつ加速度の変化を一定回数以上検出した場合に、所定のパターンに該当すると判別することを特徴とする請求項２記載のデータ通信システム。
【請求項４】
前記制御手段は、前記加速度検出手段が第１の閾値以上の振幅をもつ加速度を検出し、その前後の一定期間に第２の閾値以上に振幅がない場合に、所定のパターンに該当すると判別することを特徴とする請求項２記載のデータ通信システム。
【請求項５】
前記挙動検出手段は、前記通信端末に備えられ、当該通信端末の角速度を検出する角速度検出手段であることを特徴とする請求項１記載のデータ通信システム。
【請求項６】
前記通信端末は、被写体を撮影する撮影手段を備え、前記挙動検出手段は、前記通信端末に備えられ、前記撮影手段により撮影された被写体の動きベクトルを検出する動きベクトル検出手段であることを特徴とする請求項１記載のデータ通信システム。
【請求項７】
前記第２の無線通信手段は、複数のアンテナを備え、前記挙動検出手段は、前記通信ベースに設けられ、前記第１の無線通信手段に対する前記複数のアンテナの通信感度の変化から、前記通信端末の挙動を検出することを特徴とする請求項１記載のデータ通信システム。
【請求項８】
前記第２の無線通信手段は、第１のアンテナと第２のアンテナとを備え、前記制御手段は、前記挙動検出手段から出力される前記第１のアンテナの通信感度の変化の位相と、前記第２のアンテナの通信感度の変化の位相とが逆の位相になっている場合に、所定のパターンに該当すると判別することを特徴とする請求項７記載のデータ通信システム。
【請求項９】
前記制御手段は、前記通信端末の挙動を少なくとも第１、第２のパターンの２つの種類に判別し、第１のパターンと判別された場合には前記データを転送した上で削除は行わず、第２のパターンと判別された場合には前記データを転送した上で削除することを特徴とする請求項１乃至８のいずれかに記載のデータ通信システム。
【請求項１０】
前記制御手段は、前記通信端末の挙動を前記第１、第２のパターンに加えて第３のパターンを含む３種類に判別し、第３のパターンと判別された場合には、格納されたデータを転送中に再生可能な形式でストリーミング転送することを特徴とする請求項９記載のデータ通信システム。
【請求項１１】
通信相手に近付くことで無線によるデータ通信を行うための第１の無線通信手段を備え、第２の無線通信手段を備えた通信ベースに対して通信可能範囲内に近接することに応じてデータ通信を行う通信端末において、
前記通信端末の姿勢に基づく挙動を検出する挙動検出手段と、
前記通信端末が前記通信ベースと近接し通信が確立している状態で前記挙動検出手段により検出された挙動が予め定められた複数のパターンのいずれに該当するかを判別し、判別されたパターンに対応して予め設定された方法でデータ通信を行うよう前記第１の無線通信手段を制御する制御手段とを備えることを特徴とする通信端末。
【請求項１２】
前記挙動検出手段は、前記通信端末の加速度を検出する加速度検出手段であることを特徴とする請求項１１記載の通信端末。
【請求項１３】
前記制御手段は、前記加速度検出手段が閾値以上の振幅をもつ加速度の変化を一定回数以上検出した場合に、所定のパターンに該当すると判別することを特徴とする請求項１２記載の通信端末。
【請求項１４】
前記制御手段は、前記加速度検出手段が第１の閾値以上の振幅をもつ加速度を検出し、その前後の一定期間に第２の閾値以上に振幅がない場合に、所定のパターンに該当すると判別することを特徴とする請求項１２記載の通信端末。
【請求項１５】
前記挙動検出手段は、前記通信端末の角速度を検出する角速度検出手段であることを特徴とする請求項１１記載の通信端末。
【請求項１６】
被写体を撮影する撮影手段を備え、前記挙動検出手段は、前記撮影手段により撮影された被写体の動きベクトルを検出する動きベクトル検出手段であることを特徴とする請求項１１記載の通信端末。
【請求項１７】
通信相手に近付くことで無線によるデータ通信を行うための第１の無線通信手段を備えた通信端末と、該通信端末が通信可能範囲内に近接することに応じて前記通信端末とデータ通信を行う第２の無線通信手段を備えた通信ベースとの間でデータ通信を行わせるデータ通信方法であって、
前記通信端末の姿勢に基づく挙動を検出する挙動検出ステップと、
前記通信端末が前記通信ベースと近接し通信が確立している状態で前記挙動検出ステップで検出された挙動が予め定められた複数のパターンのいずれに該当するかを判別するパターン判別ステップと、
判別されたパターンに対応して予め設定された方法でデータ通信を行うよう前記第１の無線通信手段を制御する制御ステップとを有することを特徴とするデータ通信方法。
【請求項１８】
無線によるデータ通信を行うための第１の無線通信手段を備えた通信端末と、該通信端末が通信可能範囲内に近接することに応じて前記通信端末とデータ通信を行う第２の無線通信手段を備えた通信ベースとの間でデータ通信を行わせるデータ通信方法をコンピュータに実行させるためのプログラムであって、
前記通信端末の姿勢に基づく挙動を検出する挙動検出ステップと、
前記通信端末が前記通信ベースと近接し通信が確立している状態で前記挙動検出ステップで検出された挙動が予め定められた複数のパターンのいずれに該当するかを判別するパターン判別ステップと、
判別されたパターンに対応して予め設定された方法でデータ通信を行うよう前記第１の無線通信手段を制御する制御ステップとを有することを特徴とするプログラム。
【手続補正２】
【補正対象書類名】明細書
【補正対象項目名】０００６
【補正方法】変更
【補正の内容】
【０００６】
上記目的を達成するために、請求項１記載のデータ通信システムは、通信相手に近付くことで無線によるデータ通信を行うための第１の無線通信手段を備えた通信端末と、該通信端末が通信可能範囲内に近接することに応じて前記通信端末とデータ通信を行う第２の無線通信手段を備えた通信ベースとから構成されるデータ通信システムにおいて、前記通信端末と前記通信ベースとのいずれか一方に設けられ、前記通信端末の姿勢に基づく挙動を検出する挙動検出手段と、前記通信端末が前記通信ベースと近接し通信が確立している状態で前記挙動検出手段により検出された挙動が予め定められた複数のパターンのいずれに該当するかを判別し、判別されたパターンに対応して予め設定された方法でデータ通信を行うよう前記第１の無線通信手段を制御する制御手段とを備えることを特徴とする。
【手続補正３】
【補正対象書類名】明細書
【補正対象項目名】０００７
【補正方法】変更
【補正の内容】
【０００７】
上記目的を達成するために、請求項１１記載の通信端末は、通信相手に近付くことで無線によるデータ通信を行うための第１の無線通信手段を備え、第２の無線通信手段を備えた通信ベースに対して通信可能範囲内に近接することに応じてデータ通信を行う通信端末において、前記通信端末の姿勢に基づく挙動を検出する挙動検出手段と、前記通信端末が前記通信ベースと近接し通信が確立している状態で前記挙動検出手段により検出された挙動が予め定められた複数のパターンのいずれに該当するかを判別し、判別されたパターンに対応して予め設定された方法でデータ通信を行うよう前記第１の無線通信手段を制御する制御手段とを備えることを特徴とする。
【手続補正４】
【補正対象書類名】明細書
【補正対象項目名】０００８
【補正方法】変更
【補正の内容】
【０００８】
上記目的を達成するために、請求項１７記載のデータ通信方法は、通信相手に近付くことで無線によるデータ通信を行うための第１の無線通信手段を備えた通信端末と、該通信端末が通信可能範囲内に近接することに応じて前記通信端末とデータ通信を行う第２の無線通信手段を備えた通信ベースとの間でデータ通信を行わせるデータ通信方法であって、前記通信端末の姿勢に基づく挙動を検出する挙動検出ステップと、前記通信端末が前記通信ベースと近接し通信が確立している状態で前記挙動検出ステップで検出された挙動が予め定められた複数のパターンのいずれに該当するかを判別するパターン判別ステップと、判別されたパターンに対応して予め設定された方法でデータ通信を行うよう前記第１の無線通信手段を制御する制御ステップとを有することを特徴とする。